(57)【要約】【課題】媒体の幅に合せて切断処理を効率的に行うことが可能なディスクカッターを提供する。【解決手段】本実施形態にかかるディスクカッターは、媒体の幅方向に設けた固定刃と、この固定刃に沿って移動し、上記固定刃と協働して上記媒体を切断する丸刃と、上記幅方向に移動可能で、上記媒体の幅よりも外側の一方に配置される第１の待機位置センサおよび他方に配置される第２の待機位置センサと、上記第１の待機位置センサと上記第２の待機位置センサに検知される検知板と、上記丸刃を回動自在に支持し、且つ上記検知板を備え、上記第１の待機位置センサと上記第２の待機位置センサ間を移動する丸刃ユニットとを備えることを特徴としている。【選択図】図１
2014176907.tif 000002
【特許請求の範囲】
【請求項１】
媒体の幅方向に設けた固定刃と、
この固定刃に沿って移動し、前記固定刃と協働して前記媒体を切断する丸刃と、
前記幅方向に移動可能で、前記媒体の幅よりも外側の一方に配置される第１の待機位置センサおよび他方に配置される第２の待機位置センサと、
前記第１の待機位置センサと前記第２の待機位置センサに検知される検知板と、
前記丸刃を回動自在に支持し、且つ前記検知板を備え、前記第１の待機位置センサと前記第２の待機位置センサ間を移動する丸刃ユニットと
を備えることを特徴とするディスクカッター。
【請求項２】
さらに、前記幅方向に移動可能であり、前記検知板を検知する第３の待機位置センサを前記第１の待機位置センサと第２の待機位置センサの間に設けることを特徴とする請求項１に記載のディスクカッター。
【請求項３】
前記検知板は、前記丸刃ユニットの直上に備えることを特徴とする請求項１又は請求項２に記載のディスクカッター。
【請求項４】
媒体の幅方向に設けた固定刃と、
この固定刃に沿って移動し、前記固定刃と協働して前記媒体を切断する丸刃と、
前記幅方向の端部に配置される第１の待機位置センサと、
前記幅方向に移動可能であり、前記第１の待機位置センサに対し前記媒体を介して対向配置される第２の待機位置センサと、
前記第１の待機位置センサと前記第２の待機位置センサに検知される検知板と、
前記丸刃を回動自在に支持し、且つ前記検知板を備え、前記第１の待機位置センサと前記第２の待機位置センサ間を移動する丸刃ユニットと、
を備えることを特徴とするディスクカッター。
【請求項５】
さらに、前記幅方向に移動可能であり、前記検知板を検知する第３の待機位置センサを前記第１の待機位置センサと第２の待機位置センサの間に設けることを特徴とする請求項４に記載のディスクカッター。
【請求項６】
前記検知板が前記丸刃ユニットの直上に取り付けられることを特徴とする請求項４又は請求項５に記載のディスクカッター。
【発明の詳細な説明】
【技術分野】
【０００１】
本実施形態は、ディスクカッター、特に熱転写、感熱プリンタ等に使用する媒体を所定の長さに切断するためのディスクカッターに関する。
【背景技術】
【０００２】
従来、ディスクカッターは、媒体の搬送方向と直交する方向に丸刃を有する丸刃ユニットを移動させることで搬送されてくる媒体をカットする。丸刃ユニットの位置制御は、搬送方向から見て両端に配設された待機位置センサによって行われ、一端の待機位置に待機した丸刃ユニットが他端の待機位置センサの検出位置まで移動することで媒体をカットし、次のカット動作まで他端の待機位置センサの検出位置に待機させている。
【０００３】
このようなディスクカッターでは、例えばサーマルヘッドを備えた熱転写、感熱プリンタにおいては、丸刃ユニットの移動量、即ち切断可能幅、はサーマルヘッドの印字幅より長く、且つ一定であり、媒体のサイズに関わらない。このため、媒体の幅が丸刃ユニットの切断可能幅に近い場合には問題ないが、例えば丸刃ユニットの切断可能幅に対して使用する媒体の幅が半分であるような場合には、媒体のカットに必要な移動量よりも丸刃ユニットの移動量は大きく、カット処理に要する時間に無駄があった。これは大きな媒体に対応したカッターであるほど影響が大きく、特に連続印字する場合には顕著である。
【先行技術文献】
【特許文献】
【０００４】
【特許文献１】特開２００３−１９１５４９号公報
【発明の概要】
【発明が解決しようとする課題】
【０００５】
本発明は、上記課題を解決するためになされたものであり、その目的は媒体の幅に合せて丸刃ユニットの移動量を変えることができ、処理を効率的に行うことが可能なディスクカッターを提供することにある。
【課題を解決するための手段】
【０００６】
本実施形態にかかるディスクカッターは、媒体の幅方向に設けた固定刃と、この固定刃に沿って移動し、上記固定刃と協働して上記媒体を切断する丸刃と、上記幅方向に移動可能で、上記媒体の幅よりも外側の一方に配置される第１の待機位置センサおよび他方に配置される第２の待機位置センサと、上記第１の待機位置センサと上記第２の待機位置センサに検知される検知板と、上記丸刃を回動自在に支持し、且つ上記検知板を備え、上記第１の待機位置センサと上記第２の待機位置センサ間を移動する丸刃ユニットとを備えることを特徴としている。
【０００７】
また、本実施形態にかかるディスクカッターは、媒体の幅方向に設けた固定刃と、この固定刃に沿って移動し、上記固定刃と協働して上記媒体を切断する丸刃と、上記幅方向の端部に配置される第１の待機位置センサと、上記幅方向に移動可能であり、上記第１の待機位置センサに対し上記媒体を介して対向配置される第２の待機位置センサと、上記第１の待機位置センサと上記第２の待機位置センサに検知される検知板と、上記丸刃を回動自在に支持し、且つ上記検知板を備え、上記第１の待機位置センサと上記第２の待機位置センサ間を移動する丸刃ユニットとを備えることを特徴としている。
【０００８】
このような構成により、媒体の幅に合わせて丸刃ユニットの移動量を可変することができ、丸刃ユニットに対して媒体の切断動作に関わらない無駄な動きを少なくすることで媒体の切断処理時間の短縮を達成できる。
【０００９】
また、本実施形態のディスクカッターは、さらに、上記幅方向に移動可能であり、上記検知板を検知する第３の待機位置センサを上記第１の待機位置センサと第２の待機位置センサの間に設けることを特徴としている。このような構成により、媒体を完全に切り離すフルカット処理だけでなく、媒体を途中まで切り離すパーシャルカット処理に対応することができる。
【００１０】
また、本実施形態に係るディスクカッターは、上記検知板が丸刃ユニットの直上に取り付けられていることを特徴としている。このような構成により、丸刃ユニットは第一乃至第３の待機位置センサの直下に待機することになり、これら待機位置センサ間の距離が丸刃ユニットの移動距離とほぼ同じとなるため、ユーザーは容易に媒体の幅に合わせて第一乃至第３の待機位置センサの位置調整ができる。
【発明の効果】
【００１１】
本実施形態に係るディスクカッターによれば、使用する媒体の幅に合せて丸刃ユニットの移動距離を変えることができるため、切断処理の時間を短縮することができる。
【図面の簡単な説明】
【００１２】
【図１】本実施形態にかかるディスクカッターの概略構成図。
【図２】本実施形態にかかるディスクカッターを幅の狭い媒体への適用例を示した図。
【図３】図２における印刷基準を片側に設定した場合の図。
【図４】本実施形態の他の形態にかかるディスクカッターの概略構成図。
【発明を実施するための形態】
【００１３】
以下、本実施形態のディスクカッターについて図面を参照して詳細に説明する。なお、以下で説明する実施の形態は本発明の一例に過ぎず、各部の構成は、本発明の趣旨を達成できるものであれば、その範囲で適宜変更や修正を行えることは勿論である。
【００１４】
図１は、本実施形態に係るディスクカッターの概略構成図であり、図２は、図１における幅の狭い媒体Ｐ１に適用した場合のディスクカッターを示した図であり、図３は、図２における印刷基準を片側に設定した場合のディスクカッターを示した図である。
【００１５】
本実施形態に係るディスクカッターは、例えばラベルやタグ紙等の媒体に印刷するためのサーマルヘッド等を備えた熱転写、感熱プリンタにおいて、印刷がなされた媒体Ｐを所定の長さに切断するためのものに適用される。
【００１６】
図１に示すように、本実施形態に係るディスクカッター１０は、丸刃１を備えた丸刃ユニット２と、丸刃１と協働して媒体を切断する固定刃３と、丸刃ユニット２を検出する第１の待機位置センサ４及び第２の待機位置センサ５と、丸刃ユニット２を駆動する駆動モータ６とを備えており、第１の待機位置センサ４及び第２の待機位置センサ５は、媒体Ｐの搬送方向に直交する方向、即ち媒体Ｐの幅方向に移動可能となっている。ディスクカッター１０の動作は、プリンタ本体の印刷動作等を制御する制御部により制御される。
【００１７】
丸刃１は、回動自在に丸刃ユニット２に取り付けられており、幅方向に移動することで、搬送されてくる媒体Ｐを所定の長さで切断する。丸刃ユニット２には、第１の待機位置センサ４及び第２の待機位置センサ５に検出されるための検知板７が備えられている。
【００１８】
固定刃３は、丸刃１と協働して媒体Ｐを切断するために設けられる。固定刃３は、幅方向に媒体Ｐの最大幅を切断することができるだけの長さを有しており、丸刃１は固定刃３に沿って移動することで媒体Ｐを切断する。
【００１９】
第１の待機位置センサ４および第２の待機位置センサ５は、丸刃ユニット２に設けられる検知板７を検出し、丸刃ユニット２の切断動作の開始、終了を判断している。第１の待機位置センサ４および第２の待機位置センサ５は、いずれも幅方向に移動可能であり（点線矢印）、適用される媒体Ｐの幅よりも外側（両矢印β１）に配置される。これら待機位置センサの配置は、適用するプリンタに合わせて適宜行うことができる。
【００２０】
第１の待機位置センサ４および第２の待機位置センサ５が検知板７を検知すると、駆動モータ６が停止し、検知板７と共に移動する丸刃ユニット２はその位置に停止する。なお、第１の待機位置センサ４および第２の待機位置センサ５は、幅方向に移動できる構成となっていればよく、例えば窓枠の長手方向下部に固定刃３を固定し、固定刃３に対向する長手方向上部に支持させ、スライド可能とする構成としてもよい。また、第１の待機位置センサ４および第２の待機位置センサ５を着脱可能とし、幅方向の任意の位置に設置できる構成としてもよい。用いられる媒体の幅は、一般に規格によって決まっているため、例えばその規格幅に合わせた目盛等を幅方向に設けることで、第一に待機位置センサ４および第２の待機位置センサ５を媒体Ｐの幅に合わせた配置が容易になる。
【００２１】
駆動モータ６は、丸刃ユニット２を第１の待機位置センサ４と第２の待機位置センサ５の間を移動させるためのものであり、例えば幅方向の両端部に張架するように無端ワイヤを設けて、この無端ワイヤに丸刃ユニット２を取り付け、無端ワイヤを駆動モータ６によって移動させることで丸刃ユニット２を移動させる。
【００２２】
また、駆動モータ６は媒体の切断動作の他に、丸刃１および固定刃３を錆等から保護し、切れ味を保持するため、ある一定時間或いはあるカット数に達した場合に、切断可能最大範囲まで丸刃ユニット２を移動させる動作をすることも可能である。このような動作を行わせる場合には、ステップ数により大まかの丸刃ユニット２の位置が把握できるステップモータを用いることが好ましい。
【００２３】
本実施形態に係るディスクカッター１０の動作について、図１乃至図３を参照して詳細に説明する。
【００２４】
図１に示すように、第１の待機位置センサ４および第２の待機位置センサ５は媒体Ｐの幅よりも外側に配置されている。丸刃１を有する丸刃ユニット２は、媒体Ｐの切断動作以外では媒体Ｐの搬送を阻害しないよう、第１の待機位置センサ４の下に待機している。プリンタにより媒体Ｐに印刷がなされて所定の距離搬送された後、丸刃ユニット２は、第１の待機位置センサ４から第２の待機位置センサ５へ移動しながら媒体Ｐを切断する（矢印α１）。丸刃ユニット２は、第２の待機位置センサ５が検知板７を検知するまで移動し、第２の待機位置センサ５が検知板７を検知すると切断動作が終了したと判断し、丸刃ユニット２を第２の待機位置センサ５の下に待機させる。
【００２５】
その後、新たに媒体Ｐに印刷がなされて所定の距離搬送された後、丸刃ユニット２は第２の待機位置センサ５から第１の待機位置センサ４へ移動しながら媒体Ｐにおける次の切断位置を切断する（矢印α２）。丸刃ユニット２は、第１の待機位置センサ４が検知板７を検知するまで移動する。第１の待機位置センサ４が検知板７を検知すると切断動作が終了したと判断し、丸刃ユニット２を第１の待機位置センサ４の下で次の切断動作まで待機させる。この往復切断動作を繰り返し、媒体Ｐを切断する。
【００２６】
図２に示すように、ディスクカッター１０に、媒体Ｐより幅の狭い媒体Ｐ１を適用する場合、ユーザーは第１の待機位置センサ４及び第２の待機位置センサ５の位置をそれぞれ幅方向内側に移動させ（点線矢印）、媒体Ｐ１の幅の外側になるよう配置する（両矢印β２）。第１の待機位置センサ４と第２の待機位置センサ５の位置移動には、例えばユーザーが幅方向にスライドさせる、或いは一旦取り外し、所望の位置に取り付ける等により行う。媒体Ｐ１の切断動作において、丸刃ユニット２は移動後の第１の待機位置センサ４１と第２の待機位置センサ５１との間で往復動動作を行うことになる。
【００２７】
また、プリンタの印刷基準が中心ではなく、例えば左側にある場合には、図３に示すように、第１の待機位置センサ４の位置はそのままに、第２の待機位置センサ５の位置のみを幅方向内側へ移動させ（点線矢印）、媒体Ｐ１の幅の外側になるよう配置すればよい。媒体Ｐ１の切断動作において、丸刃ユニット２は第１の待機位置センサ４と移動後の第２の待機位置センサ５２の間で往復動動作を行うことになる。なお、印刷基準が片側のみのプリンタに対しては、その印刷基準となる側の第１の待機位置センサ４または第２の待機位置センサ５を幅方向の一端に固定して移動できない仕様としてもよい。
【００２８】
また、本実施形態にかかるディスクカッター２０は、図４に示すように、さらに、幅方向に移動可能な第３の待機位置センサ８を、第１の待機位置センサ４と第２の待機位置センサ５の間に設ける構成とすることができる。
【００２９】
第３の待機位置センサ８を設けることで、丸刃ユニット２は上記した第１の待機位置センサ４と第２の待機位置センサ５の間（矢印α１）だけでなく、第１の待機位置センサ４或いは第２の待機位置センサ５と第３の待機位置センサ８の間（矢印α４）での移動が可能となる。このような構成としたディスクカッター２０では、丸刃ユニット２は２つの異なった移動距離、即ち切断可能距離を有することとなり、媒体Ｐを完全に切り離すフルカット処理だけでなく媒体Ｐを途中まで切り離すパーシャルカット処理が可能となる。
【００３０】
このように、本実施形態に係るディスクカッターは、待機位置センサを幅方向の任意な位置に移動可能としているため、媒体に合わせて丸刃ユニットの移動量を規制することが可能となり、切断処理に要する時間の無駄をなくすことができる。
【符号の説明】
【００３１】
１   …丸刃
２   …丸刃ユニット
３   …固定刃
４   …第１の待機位置センサ
５   …第２の待機位置センサ
６   …駆動モータ
７   …検知板
８   …第３の待機位置センサ
１０       …ディスクカッター
【図１】
2014176907.tif 000003
【図２】
2014176907.tif 000004
【図３】
2014176907.tif 000005
【図４】
2014176907.tif 000006